(57)【特許請求の範囲】
【請求項１】
蓄電要素、フィルムの端部の内面同士を接着させることにより蓄電要素を包む袋、及び一端が蓄電要素に接続されて他端が袋の接着しろの間から導出される正負のリードからなる扁平型電池と、それらリードの他端と接続する端子を表面に形成した基板と、基板と直列に接続するようにリードに設けられるＰＴＣ素子と、電池、基板及びＰＴＣ素子を収容する定形の箱とを備えた電池パックにおいて、
基板が箱内面と前記接着しろとの間に設けられ、基板表面が箱内面と接触するように固定され、ＰＴＣ素子が反対側の箱内面と前記接着しろとの間に設けられ、基板表面上の各電極端子を外部と通じさせる孔が箱に設けられていることを特徴とする電池パック。
【請求項２】
基板と接触する箱内面に設けられ、箱内面とともに基板を挟む第一リブと、反対側の箱内面に設けられ、基板を裏面から押さえる第二リブとによって、基板が固定されている請求項１に記載の電池パック。
【発明の詳細な説明】
【０００１】
【発明の属する技術分野】
本発明は、小型電子機器に内蔵される電池パックに属する。
【０００２】
【従来の技術】
携帯用無線電話、携帯用パソコン、携帯用ビデオカメラ等の小型電子機器が普及している。これらの電子機器をより小さくするためには、内蔵される電池パックも小さくする必要がある。そのため、電子機器に内蔵される電池パックとして、従来よりリチウム電池を備えた電池パックが多く使用されている。この種の電池パックとしては、例えば図３に示すものがある。この電池パック１１では、蓄電要素が角型の箱１２に収容されてなる電池を備える。箱１２の両端には正極端子１３及び負極端子１４がそれぞれ設けられ、また箱１２の外側には、過大電流が流れるのを防止する手段として、ＰＴＣ素子及び保護回路が設けられている。
【０００３】
また、この電池パック１１の他に、フィルムからなる袋を使用するタイプの電池パックが知られている。このタイプの電池パックでは、蓄電要素、フィルムの端部の内面同士を接着させることにより蓄電要素を包む袋、及び一端が蓄電要素に接続されて他端が袋の接着しろの間から導出される正負のリードからなる扁平型電池と、それらリードの他端と接続する端子を表面に形成した基板と、電池及び基板を収容する定形の箱とを備える。
【０００４】
【発明が解決しようとする課題】
しかし、図３の電池パック１１では、正極端子１３及び負極端子１４が箱１２の異なる面に設けられているので、電子機器本体のリードの配線が複雑になる。しかも、ＰＴＣ素子１５及び保護回路１６が箱１２の外側に設けられているので、その分電池パック全体が大きくなる。従って、この電池パック１１では、電子機器を小型化するのに限界があった。
【０００５】
また、フィルム袋を使用するタイプの電池パックでは、正極端子及び負極端子がともに基板表面上にあるので、電子機器本体の配線は簡単で済む。だが、電池パック自体が依然として大きいため、電子機器を一層小型化するには至らなかった。
それ故、本発明の目的は、上記の問題点を解決し、従来よりも小さい電池パックを提供することにある。
【０００６】
【課題を解決するための手段】
本発明の電池パックは、
蓄電要素、フィルムの端部の内面同士を接着させることにより蓄電要素を包む袋、及び一端が蓄電要素に接続されて他端が袋の接着しろの間から導出される正負のリードからなる扁平型電池と、それらリードの他端と接続する端子を表面に形成した基板と、基板と直列に接続するようにリードに設けられるＰＴＣ素子と、電池、基板及びＰＴＣ素子を収容する定形の箱とを備えた電池パックにおいて、
基板が箱内面と前記接着しろとの間に設けられ、基板表面が箱内面と接触するように固定され、ＰＴＣ素子が反対側の箱内面と前記接着しろとの間に設けられ、基板表面上の各電極端子を外部と通じさせる孔が箱に設けられていることを特徴とする。
【０００７】
本発明の電池パックは、正負の電極端子を表面に形成した基板及びＰＴＣ素子を備える。そして、基板は箱内面と接着しろとの間にできるスペースに設けられ、基板表面が箱内面と接触するように固定され、ＰＴＣ素子は反対側の箱内面と接着しろとの間にできるスペースに設けられている。そのため、基板及びＰＴＣ素子を設けるための特別なスペースを箱内につくる必要はない。即ち、本発明では、基板及びＰＴＣ素子を接着しろの両側に各々配することにより、箱内のスペースを有効に活用することができ、さらにはそのスペースを最低限必要な程度に小さくすることも可能になる。従って、本発明では、箱の大きさは電池の大きさとほぼ同じで足り、よって、電池パックの大きさを従来よりも小さくすることができる。
【０００８】
本発明では、基板表面が箱内面と接触するように基板が固定され、基板表面上の各電極端子を外部と通じさせる孔が箱に設けられている。このようにすると、電力を取り出すのが容易であり、電子機器本体を配線を複雑にしなくて済む。よって、一層小さい電子機器の設計が可能である。基板を固定するためには、例えば、基板と接触する箱内面に設けられ、箱内面とともに基板を挟む第一リブと、反対側の箱内面に設けられ、基板を裏面から押さえる第二リブとを用いる。これによると、基板は、箱内面と第一リブとの間に挟まれつつ第二リブにより押さえられるので、しっかりと固定され外れることがない。
【０００９】
また本発明では、基板表面上に電極端子の他に過大電流を防止するための手段を形成しても良い。形成される過大電流防止手段としては、例えばパターンヒューズやサーミスタ等の保護素子がある。また、過大電流防止手段は複数個形成されても良い。過大電流防止手段を基板表面以外に設ける場合には、その大きさ及び数については、箱内に特別なスペースをつくる必要がない程度が望ましい。本発明では、過大電流防止手段の数を少なくするため、電池としてポリマー電池等の安全性の高い電池を使用するのが好ましい。
【００１０】
本発明における蓄電要素、リード及び袋については、公知のものを使用することができる。例えば、蓄電要素としては、マンガン酸リチウム等の活物質材料を集電体に塗布してなる正極板、リチウム塩を含む有機電解液が保持されたセパレータ、及び集電体にホスト物質を塗布してなる負極板を順に積層して渦状に巻いたものがある。ポリアセチレン等のポリマー材料を電極に使用しても良い。また、ポリマー固体電解質を使用しても良い。リードとしては、例えば、アルミニウムなどの金属からなる平板が使用可能である。袋を構成するフィルムとしては、例えば、樹脂層と金属層とを重ねたラミネートフィルムが使用される。また、箱は、例えば、ポリカーボネートなどの樹脂を材料として成形されると良い。
【００１１】
【発明の実施の形態】
実施形態の電池パックを図面とともに説明する。図１は本実施形態の電池パックを示す平面図であり、図２はそのＡ−Ａ線拡大断面図である。
本実施形態の電池パック１は、蓄電要素、袋２及びリード３からなるリチウム電池と、正極端子４１、負極端子４２、パターンヒューズ及びサーミスタを表面に実装させた基板４と、ＰＴＣ素子５と、定形のケース６２及びカバー６１からなる箱６とを備える。
【００１２】
電池の蓄電要素は扁平な形状をなしており、ラミネートフィルムからなる袋２に収容されている。袋２は、蓄電要素をフィルムで包んだ後、フィルム端部の内面同士を接着させることにより形成される。そのため袋２も扁平な形状をなしている。また、袋２は、面方向に延びた接着しろ２１を有し、この接着しろ２１のフィルム内面間より２本の平板型のリード３を外に出している。２本のリード３は、蓄電要素の正極及び負極と各々接続するとともにＰＴＣ素子５と接続する。
【００１３】
ＰＴＣ素子５は、接着しろ２１と箱６のケース６２との間に設けられ、基板４と直列に接続している。基板４は、接着しろ２１と箱６のカバー６１との間にあり、カバー６１に設けられたＬ字型の第一リブ６１ａによりカバー６１との間に挟まれ、同時にケース６２に設けられた第二リブ６２ａにより押さえられている。そのため、基板４は、表面をカバー６１の内面に接触させるようにして固定されている。また、図１に示すように、カバー６１には、電極端子４１、４２のある位置に、孔６１ｂが各々設けられている。よって、これらの孔６１ｂを通じて、電極端子４１、４２を外部と接続しうる。
【００１４】
本実施形態の電池パック１は、電池の他に、基板４及びＰＴＣ素子５を箱６内に備える。しかし、基板４は接着しろ２１とカバー６１との間に設けられ、基板表面が箱内面と接触するように固定され、ＰＴＣ素子５は接着しろ２１とケース６２との間に設けられており、基板４及びＰＴＣ素子５のための特別なスペースは無い。即ち、本実施形態の電池パック１では箱６内のスペースが有効に利用されており、箱６の大きさは電池の大きさとほぼ同じである。その上、本実施形態の電池パック１では、正極端子４１及び負極端子４２が同一面にあるので、電子機器の配線が容易である。従って、本実施形態の電池パック１によると、従来よりも小さい電子機器の設計が可能となる。さらに、本実施形態では、基板４はカバー６１の内面と第一リブ６１ａと間に挟まれつつ第二リブ６２ａによって押さえられるので、基板４は外れることがない。
【００１５】
【発明の効果】
本発明の電池パックは、従来の電池パックよりも小さく、電子機器の一層の小型化を可能にする。
【図面の簡単な説明】
【図１】実施形態の電池パックを示す平面図である。
【図２】図１のＡ−Ａ線拡大断面図である。
【図３】従来の電池パックを示す平面図である。
【符号の説明】
１電池パック
２袋
２１接着しろ
３リード
４基板
４１正極端子、４２負極端子
５ＰＴＣ素子
６箱
６１カバー、６２ケース
【図１】
0004663848.tif 000002
【図２】
0004663848.tif 000003
【図３】
0004663848.tif 000004